(57)【要約】【課題】車両に対する表示装置の構築が容易であるとともにメンテナンス性に優れ、しかも車体色の制限を受けることなく表示範囲を任意に設定できる車両の表示装置を提供する。【解決手段】画像を投影することが可能な画像投影手段（プロジェクタ）１と、当該画像投影手段１を制御する投影制御手段（画像投影ＥＣＵ）１００を装備した表示装置であり、画像投影手段１は少なくとも車両ＣＡＲの車体の表面（サイドパネル）ＳＰに画像を投影できるように配設される。投影制御手段１００は外部からの指令に基づいて投影する画像を設定することが可能である。【選択図】  図１
2015148678.tif 000002
【特許請求の範囲】
【請求項１】
画像を投影することが可能な画像投影手段と、前記画像投影手段を制御する投影制御手段とを備えて車両に装備される表示装置であって、前記画像投影手段は少なくとも車体の表面に画像を投影できるように配設されていることを特徴とする車両の表示装置。
【請求項２】
前記画像投影手段は画像投影用のプロジェクタであることを特徴とする請求項１に記載の車両の表示装置。
【請求項３】
前記投影制御手段は外部からの指令に基づいて投影する画像を設定することが可能であることを特徴とする請求項１または２に記載の車両の表示装置。
【請求項４】
前記投影制御手段は通信手段を備え、当該通信手段で受信した信号に基づいて画像を設定することを特徴とする請求項１ないし３のいずれかに記載の車両の表示装置。
【請求項５】
前記投影制御手段は画像の投影箇所の違いに対応して投影する画像を修正する機能を備えることを特徴とする請求項１ないし４のいずれかに記載の車両の表示装置。
【請求項６】
前記画像は宣伝用画像、デコレーション用画像、メッセージ画像の少なくとも一つを含むことを特徴とする請求項１ないし５のいずれかに記載の車両の表示装置。
【発明の詳細な説明】
【技術分野】
【０００１】
本発明は自動車等の車両の車体表面に表示を行う表示装置に関し、特に車体表面に画像投影を行う表示装置に関するものである。
【背景技術】
【０００２】
車両の車体表面に表示装置を設け、この表示装置により広告を呈示する技術が提案されている。特許文献１には、自動車の車体の表面に液晶表示装置等の表示パネルを貼付し、この表示パネルに所望の画像や文字等を表示することによって広告を行う広告呈示システムが提案されている。また、特許文献１では、所定の領域内に存在する複数の自動車に対して管理センタから所定の広告情報を送信し、各自動車はこの広告情報に基づいて表示パネルでの表示を行うことで、当該領域における広告効果を高めるようにした技術も提案されている。
【先行技術文献】
【特許文献】
【０００３】
【特許文献１】特開２０１３−０８９０９６号公報
【発明の概要】
【発明が解決しようとする課題】
【０００４】
特許文献１の技術は、自動車の車体表面に表示パネルを貼付し、かつ貼付した表示パネルに対して電気配線を接続する等の作業が必要であり、表示装置の構築作業が煩雑かつ困難なものになる。これに加えて、表示パネルが故障したような場合には表示パネルを交換し、あるいは車体表面を構成する車体パネルを交換する必要があり、メンテナンスが煩雑なものになる。また、車体表面での表示を行う領域は表示パネルを配設した領域に限られることになるので、自動車の窓部のように表示パネルを配設することが難しい部位では表示を行うことは難しい。さらに、自動車の車体色は配設した表示パネルの色になるため、自動車オーナの好みの車体色の自動車を得ることができないこともある。
【０００５】
本発明の目的は、車両に対する表示装置の構築が容易であるとともにメンテナンス性に優れ、かつ車体色の制限を受けることなく表示範囲を任意に設定することができる車両の表示装置を提供するものである。
【課題を解決するための手段】
【０００６】
本発明は、画像を投影することが可能な画像投影手段と、前記画像投影手段を制御する投影制御手段とを備えて車両に装備される表示装置であって、前記画像投影手段は少なくとも車体の表面に画像を投影できるように配設されていることを特徴とする。
【０００７】
本発明において、画像投影手段は画像投影用のプロジェクタで構成される。また、投影制御手段は外部からの指令に基づいて投影する画像を設定することが可能である。
【０００８】
本発明において、投影制御手段は通信手段を備え、当該通信手段で受信した信号に基づいて画像を設定する構成とすることが好ましい。また、投影制御手段は投影箇所の違いに対応して投影画像を修正することが可能な構成とすることも好ましい。本発明における画像は宣伝用画像、デコレーション用画像、メッセージの少なくとも一つを含むことが好ましい。
【発明の効果】
【０００９】
本発明によれば、車体に装備した画像投影手段により少なくとも車体の表面に画像を投影するので、車体の表面に表示パネルを貼付する必要がなく、表示装置を容易に構成することができ、かつ車体の表面の広い領域にわたって画像を表示することができる。そのため、特許文献１のように自動車の車体表面に表示パネルを貼付し、かつ貼付した表示パネルに対して電気配線を接続する等の作業が不要であり、表示装置の構築作業が簡易なものになる。また、表示装置が故障した場合には画像投影手段を交換するのみでよく、特許文献１のように車体パネルや表示パネルを交換する必要はなくメンテナンスが容易になる。さらに、車体色の制限を受けることがないとともに、画像投影手段による画像の投影範囲を調整するだけで車体の表面における画像の表示面積を容易に変化調整することができる。
【００１０】
また、本発明によれば、画像投影手段を制御する投影制御手段を備えており、当該投影制御手段は外部からの指令に基づいて投影する画像を設定する構成であるので、車体の表面に任意の画像を投影することができ、投影した画像による宣伝効果や装飾効果を高めることができる。
【図面の簡単な説明】
【００１１】
【図１】本発明を適用した実施形態１の自動車の外観斜視図とサイドミラーの概略構成を示す拡大斜視図。
【図２】プロジェクタを内装したサイドミラーの一部を破断した平面図。
【図３】プロジェクタにより自動車のサイドパネルに画像を投影した状態を示す概略側面図。
【図４】プロジェクタの画像投影を制御するための制御系のブロック図。
【図５】画像投影の制御システムを説明するための模式図。
【図６】実施形態２の自動車の背面図とＨＭＳＬの拡大正面図。
【図７】実施形態３の自動車の側面図と可動ハウジングの拡大縦断面図。
【発明を実施するための形態】
【００１２】
（実施形態１）
次に、本発明の実施の形態について図面を参照して説明する。図１（ａ）は本発明の表示装置を適用した実施形態１の乗用自動車ＣＡＲの概略を示す外観斜視図である。この自動車のサイドパネルは任意の車体色で塗装されているが、本発明を適用する場合には、黒あるいは濃い有彩色以外の車体色、例えば白、グレー、シルバー、その他の相対的に明るい有彩色の車体色に塗装されていることが好ましい。前記自動車ＣＡＲのサイドパネルないしその近傍部位、ここでは左右の前側ドアにはそれぞれ左および右の各サイドミラーＬ−ＳＭ，Ｒ−ＳＭが配設されており、これら左右のサイドミラーＬ−ＳＭ，Ｒ−ＳＭにそれぞれ画像投影用のプロジェクタ１が内装されている。このプロジェクタ１は、詳細を後述するように、自動車ＣＡＲの左右の各サイドパネルＳＰおよびサイドガラスＳＧに向けて光学的に画像の投影を行い、少なくともサイドパネルＳＰに所望の画像を投影表示することができるようになっており、本発明における画像投影手段として構成されている。
【００１３】
図１（ａ）は前記左右のサイドミラーＬ−ＳＭ，Ｒ−ＳＭのうち、左サイドミラーＬ−ＳＭの概略構成を示す斜視図である。この左サイドミラーＬ−ＳＭは、前記自動車ＣＡＲの前側ドアの一部に固定されて自動車の左方向に突出されたミラーハウジング２内にミラー（反射鏡）２１が内装されている。前記ミラーハウジング２内には前記ミラー２１の傾きを調整するためのミラー傾動機構２２が内装されている。また、前記ミラーハウジング２内には、前記ミラー２１による自動車の後方視界の支障とならない位置に前記したプロジェクタ１が内装されている。
【００１４】
図２は前記左サイドミラーＬ−ＳＭの一部を破断した拡大平面図である。前記プロジェクタ１は当該左サイドミラーＬ−ＳＭの前記ミラーハウジング２内に内装された小型の画像投影機として構成されている。このプロジェクタ１は先端部が開口され、基端部の内面が所要の曲面リフレクタとして構成された概ね筒型をしたケーシング１１を有しており、このケーシング１１内にＬＥＤ（発光ダイオード）等の発光素子からなる光源１２と、この光源１２から出射された光が透過される画像形成素子１３と、この画像形成素子１３を透過された光を投影させるための投影レンズ１４が配設されている。このような構成のプロジェクタ１は既に公知の構成であるので、詳細な説明は省略するが、光源１２から出射された光の一部が画像形成素子１３を透過され、透過された光が投影レンズ１４で結像状態に投影されることによって画像形成素子１３で形成された画像を投影することが可能である。
【００１５】
前記プロジェクタ１は、前記投影レンズ１４のレンズ光軸Ｌｘが図１に示した前記自動車ＣＡＲの左側のサイドパネルＳＰの表面、すなわちここでは自動車ＣＡＲの左側の前側ドアと後側ドアないしはリアフェンダーを含む各パネルの表面に向けられており、このサイドパネルＳＰの表面に画像を投影することが可能とされている。なお、画像形成素子１３で形成される画像をサイドパネルＳＰのほぼ全領域に合焦状態で投影させるために、ここでは投影レンズ１４のレンズ光軸Ｌｘを画像形成素子１３の素子面に対して傾斜させた、いわゆる「あおり」構造を採用している。
【００１６】
前記画像形成素子１３は透過型のＬＣＤ（液晶装置）で形成されており、当該ＬＣＤに供給する画像信号を制御することによって所望の画像形成パターンが形成される。この画像形成パターンは、ここでは画像形成素子１３に所望の画像に対応した光透過パターンが形成される。これにより光源１２から出射されてケーシング１１の内面で反射かつ集光された光が画像形成素子１３に投射され、そのうち画像形成素子１３の光透過パターンを透過された光が投影レンズ１４で自動車ＣＡＲのサイドパネルＳＰに投影される。例えば、図３に示すように、プロジェクタ１により画像形成素子１３に形成された画像が自動車ＣＡＲのサイドパネルＳＰに投影される。なお、この画像形成素子１３は、微細なミラーをマトリクス状に配列し、光源１２からの光を画素単位で選択的に反射して画像を形成するマイクロミラーで構成されていてもよい。
【００１７】
前記ＬＥＤ１２と前記画像形成素子１３は、図４に制御系のブロック図を示すように、本発明における投影制御手段としての画像投影ＥＣＵ（電子制御ユニット）１００に接続されており、この画像投影ＥＣＵ１００によって前記ＬＥＤ１２の発光が制御され、かつ前記画像形成素子１３での画像パターンが制御される。前記画像投影ＥＣＵ１００には、操作スイッチ１０１、ナビゲーション装置１０２、ＧＰＳセンサ１０３、車速センサ１０４が接続されており、前記操作スイッチ１０１の切り替え信号と、ナビゲーション装置１０２および各センサ１０３，１０４で検出した位置検出信号および車速検出信号が入力される。
【００１８】
前記画像投影ＥＣＵ１００の内部構成は、インターネット通信、あるいは他車との間で信号を送受する車々間通信、さらには道路や固定設備との間で信号を送受する路車間通信を行うための通信部１１１を備えている。また、この通信部１１１を介して入力される各信号に基づいて自車の走行状態を検出する走行状態検出部１１２と、検出した走行状態に基づいて投影する画像を設定する画像設定部１１３と、画像設定部１１３で設定した画像に基づいて前記プロジェクタ１の画像形成素子１３を駆動し、当該画像形成素子における画像形成パターン、すなわち前記光透過パターンを形成する駆動部１１４を備えている。この駆動部１１４は前記光源１２を発光させるための駆動信号も出力する。
【００１９】
前記走行状態検出部１１２は、ＧＰＳセンサ１０３およびナビゲーション装置１０２からの位置検出信号に基づいて自車が走行している地域を検出することができる。また、車速センサ１０４からの車速検出信号に基づいて自車の車速を検出する。さらに、無線部１１１で受信した車々間信号や路車間信号に基づいて、自車の周囲に存在する他車や、自車が走行する道路に存在する構築物や信号機、その他の固定設備を検出する。
【００２０】
前記画像設定部１１３は、前記操作スイッチ１０１での切り替え状態や、前記走行状態検出部１１２で検出した自車の走行状態に基づき、内蔵している画像メモリ１１５に予め記録されている複数の画像データの中から対応する画像データを選択し、選択した画像データに対応する画像を設定する。あるいは、通信部１１１を利用して外部から画像を取得するようにしてもよい。さらには、画像設定ソフトを内蔵しておき、このソフトを駆動することによりその都度画像を生成して設定するようにしてもよい。
【００２１】
また、前記画像設定部１１３は、自動車の画像を投影する箇所の形状、例えば自動車のサイドパネルＳＰの湾曲形状の違いに応じて画像歪みを修正する機能を備えていてもよい。そのために、前記画像メモリ１１５またはこれとは別に設けたメモリ（図示せず）に、自動車の車種に合わせた画像修正（画像加工）ができるように、当該プロジェクタが搭載される自動車のボディ情報を記憶させることも可能である。あるいは、画像加工した画像データを画像メモリ１１５や別のメモリに記憶させることも可能である。
【００２２】
前記した画像データに基づく画像は静止画像であってもよく、動画であってもよい。また、画像は図柄に限られることはなく、単純な色彩や模様パターン、あるいは文字や記号であってもよい。そして、前記駆動部１１４は、操作スイッチ１０１がオンされたときに光源１２を発光してプロジェクタ１での画像投影を開始するとともに、画像設定部１１３において設定された画像に基づいて画像形成素子１３を駆動し、前記した画像形成パターンを形成する。
【００２３】
なお、図示は省略するが、右サイドミラーＲ−ＳＭについても、図２に示したと同様にミラーハウジング内にプロジェクタが内装されており、当該プロジェクタのＬＥＤと画像形成素子は前記画像投影ＥＣＵ１００に接続されている。そして、この右サイドミラーＲ−ＳＭのプロジェクタは自車の右側のサイドパネルに対して画像を投影することができるように構成されている。
【００２４】
この実施形態によれば、運転者が画像投影を行う際には操作スイッチ１０１をオンする。これを受けて画像投影ＥＣＵ１００の駆動部１１４はプロジェクタ１の光源１２を発光してプロジェクタ１の画像投影が可能な状態とする。これと並行して、画像投影ＥＣＵ１００の画像設定部１１３は画像設定を実行し、駆動部１１４を介してプロジェクタ１の画像形成素子１３の画像形成パターンを設定する。これにより、光源１２から出射された光は画像形成素子１３に投射され、当該画像形成素子１３の画像形成パターン（光透過パターン）を透過した光のみが投影レンズ１４を通して出射され、自動車ＣＡＲのサイドパネルＳＰに投射される。
【００２５】
図３には、自動車ＣＡＲの左サイドミラーＬ−ＳＭに配設したプロジェクタ１からの投影光は、当該自動車ＣＡＲの左側のサイドパネルＳＰに投影された状態が示されている。これにより、当該サイドパネルＳＰには、画像形成素子１３に形成された画像形成パターン、換言すれば画像設定部１１３において設定された画像が投影表示されることになる。
【００２６】
一つの適用例として、自動車ＣＡＲが所定の地域を走行する際には、画像設定部１１３は各地域のそれぞれに対応した所定の宣伝用の画像を設定する。すなわち、走行状態検出部１１２において、ＧＰＳセンサ１０３やナビゲーション装置１０２の検出出力により自車が所定の地域を走行していることを検出すると、画像設定部１１３は当該検出した地域に対応する画像を選択して設定する。駆動部１１４は設定された画像に対応して画像形成素子１１３を制御し、画像形成パターンを形成する。したがって、走行する自動車ＣＡＲのサイドパネルＳＰに、現在走行している地域に対応した宣伝用の画像が投影表示され、当該地域において歩行者や他車の乗員が投影された画像を視認する状態となり、宣伝ディスプレイが実現されることになる。
【００２７】
このように実施形態１では、自動車ＣＡＲのサイドミラーＳＭにプロジェクタ１を配設するだけで表示装置が構成できるので、特許文献１のように自動車の車体表面に表示パネルを貼付し、かつ貼付した表示パネルに対して電気配線を接続する等の作業が不要であり、表示装置の構築作業が簡易なものになる。また、表示装置が故障した場合にも車体パネルを交換する必要はなくメンテナンスが容易である。さらに、車体の塗装色に制限を受けることなく、しかもプロジェクタによる画像の投影範囲を調整するだけでサイドパネルにおける画像の表示面積を容易に変化調整することができる。特許文献１のような表示パネルを貼付することができない窓ガラスにおいても画像を投影して表示することかできることは言うまでもない。
【００２８】
図５（ａ）は本発明を適用した画像投影のシステム概念図である。管理センタＣＣの管轄地域を走行している各自動車ＣＡＲは、それぞれの画像投影ＥＣＵ１００の通信部１１１において管理センタＣＣ等との間で路車間通信を行い、当該管理センタＣＣからの指令に基づいて画像設定部１１３が画像を設定する制御を行なう。管理センタＣＣは当該地域に存在する全ての自動車に対して同じ宣伝用の画像を投影する指令を出力することが可能であり、このような場合には、当該地域を走行する自動車ＣＡＲは全て同じ宣伝用の画像を車体の表面に投影表示することになり、当該地域における宣伝効果を高めることが可能になる。なお、管理センタＣＣを配設することなく、車々間通信やインターネット通信を利用して同等の画像投影を実行することも可能である。
【００２９】
また、図５（ｂ）に別の画像投影のシステム概念図を示すように、自車ＣＡＲの前を走行する前走車ＣＡＲ１との間で車々間通信を行い、両車の画像投影ＥＣＵ１００においてそれぞれ相互に関連性のある画像を設定する制御を行なう。自車ＣＡＲと前走車ＣＡＲ１のそれぞれにおいて車体の表面に関連性のある画像を投影することにより、歩行者や他の自動車からは、前後に並んで走行する両自動車ＣＡＲ，ＣＡＲ１に投影されている画像を一体の画像として視認できるようになり、宣伝効果をさらに高めることも可能である。このことは、図示は省略するが、自車と後続車との間で行うようにしてもよく、さらには自車と前走車および後続車の３台、ないしそれ以上の数の自動車の間で行うようにしてもよい。この場合においても、管理センタＣＣからの指令で投影を行うようにすることが可能である。
【００３０】
さらに、画像として動画を投影する場合には、走行状態検出部１１２で検出した自車の車速に対応して、投影する動画の投影速度（動画の画面の切り替え速度や動画中の投影物の移動速度等を意味する）を制御してもよい。この投影速度を自車の車速に対応させることで、固定位置に存在する歩行者や他車から当該投影画像を見たときには、投影された画像が停止しているように表示することも可能であり、宣伝効果をさらに高めることができる。
【００３１】
あるいは、自車の運転者が操作スイッチ１０１を操作して画像投影ＥＣＵ１００の画像設定部１１３において所望の画像を設定するようにしてもよい。運転者が所望の宣伝用の画像を独自に設定することにより、自車のサイドパネルに当該所望の画像を投影することができ、運転者が想定した宣伝効果を発揮させることができる。あるいは、運転者の好みにあった色彩や模様等の装飾的な画像、換言すればデコレーション（装飾）用の画像を投影することによって自車を装飾することができる。操作スイッチの切り替えにより、投影する画像を瞬時に変化させることもできるので、自車のデコレーション効果を高めることが可能になる。
【００３２】
以上の画像の投影は、右サイドミラーＲ−ＳＭに配設したプロジェクタにおいても実行することが可能であり、この場合、右側のプロジェクタは左側のプロジェクタと同じ画像を投影するようにしても、あるいは左側のプロジェクタとは異なる画像を設定して投影するようにしてもよい。因みに、図５（ａ）では１台の自動車は右プロジェクタによって左右を反転した画像を投影している。
【００３３】
実施形態１では、プロジェクタ１は左右のサイドミラーＬ−ＳＭ，Ｒ−ＳＭの各ミラーハウジング内に配設しているので、プロジェクタが自動車の外部に露呈されることはなく、自動車のデザイン上の見栄えが低下することはない。また、既存の自動車のサイドミラーにも簡単な作業でプロジェクタを配設することが可能であり、本発明を適用することは容易である。なお、プロジェクタにより自動車のサイドパネルに画像が投影可能であれば、当該プロジェクタは自動車のドア内部、あるいは車室内に設置してもよい。
【００３４】
（実施形態２）
図６（ａ）は本発明を適用した実施形態２の自動車ＣＡＲの背面図である。自動車ＣＡＲの車体後部のリアガラスＲＧの上部にはＨＭＳＬ（ハイマウントストップランプ）３が配設されており、このＨＭＳＬ３の内部にプロジェクタ１が一体的に配設されている。前記ＨＭＳＬ３は既存のものが用いられており、図６（ｂ）に拡大概略正面図を示すように、ランプハウジング３１の内部に、複数のＬＥＤ等を配列した光源ユニット３２が配設されるとともに、前記プロジェクタ１が配設されている。
【００３５】
前記プロジェクタ１の構成は実施形態１のプロジェクタと基本的には同じであるので図示は省略するが、図２に示したように、光源としてのＬＥＤ１２と、投影画像パターンを形成する画像形成素子１３と、画像形成素子に形成される投影画像パターンを投影するための投影レンズ１４を備えている。このプロジェクタ１は投影レンズ１４の光軸が下方に向けられており、前記リアガラスＲＧの下側に存在するリアパネルＲＰの表面に画像を投影することが可能に構成されている。また、このプロジェクタ１は実施形態１と同様に図４に示した画像投影ＥＣＵ１００に接続されていることは言うまでもない。
【００３６】
この実施形態２では、プロジェクタ１によりリアパネルＲＰに画像を投影することができるので、実施形態１と同様に宣伝効果やデコレーション効果が発揮できる。また、実施形態２では、自車の運転者が操作スイッチ１０１を操作して画像投影ＥＣＵ１００の画像設定部１１３でメッセージ画像を設定することにより、当該メッセージ画像をリアパネルＲＰに投影することも可能である。特に、運転者が後続車に対して何らかのメッセージを伝えたいと考えたようなときに、当該メッセージ画像をリアパネルＲＰに投影することで、後続車の乗員は当該自車のメッセージ画像が確認でき、後続車の乗員に対してメッセージを伝達することができる。
【００３７】
また、図示は省略するが、自動車のフロントガラスに臨む位置にプロジェクタを配設し、自車のフロントパネル（フード）に画像を投影するように構成してもよい。この場合には、前走車に対するメッセージ画像を左右反転してフロントフードパネル投影することにより、前走車の運転車はルームミラーを通して自車を視認したときに当該メッセージ画像を確認することができる。
【００３８】
この実施形態２は、例えば、バス（大型乗用自動車）に適用することにより、当該バスの行先を示す画像をリアパネルやフロントパネルに投影するように構成することも可能である。また、小型乗用自動車やバス等の車種の違いにかかわらず、実施形態１と同様に宣伝用あるいはデコレーション用の画像をリアパネルやフロントパネルに投影することが可能であることは言うまでもない。
【００３９】
（実施形態３）
図７（ａ）は本発明を適用した実施形態３のトラック（貨物用自動車）ＣＡＲ２の側面図である。トラックＣＡＲ２の後部車体のサイドパネルＳＰの上部の一部に可動式に構成されたプロジェクタ１が配設されており、このプロジェクタ１により当該サイドパネルＳＰの表面に画像を投影することができるように構成されている。
【００４０】
図７（ｂ）は前記プロジェクタ１を説明するための拡大縦断面図であり、前記サイドパネルＳＰの上縁に沿った領域の一部に凹部４０が設けられ、この凹部４０内に同図に鎖線で示すように可動ハウジング４が収容されている。可動ハウジング４は前記凹部４０内の上端部に設けた固定軸４１により鉛直上下方向に傾動可能に支持されており、固定軸４１を支点にして上方に傾動されたときには、前記凹部４０内の収容状態から突出され、同図に実線に示すように前記サイドパネルＳＰよりも車幅方向の外側に移動位置されるようになっている。
【００４１】
前記可動ハウジング４は突出された状態のときに開口部４ａが下方を向くような容器形状とされており、この開口部４ａに臨む前記可動ハウジング４内に前記プロジェクタ１が配設されている。プロジェクタ１の構成は実施形態１，２と同様であり、ケーシング１１内に光源としてのＬＥＤ１２と、投影画像パターンを形成する画像形成素子１３と、画像形成素子１３に形成される投影画像パターンを投影するための投影レンズ１４を備えている。
【００４２】
前記凹部４０内には電磁ソレノイドからなる傾動機構４２が内装されており、当該傾動機構４２の伸縮アーム４３が前記可動ハウジング４の一部に連結されている。この傾動機構４２は、通電されたときに伸縮アーム４３が伸長し、可動ハウジング４を上方に傾動して図７（ｂ）の実線位置に突出させる。通電が解除されたときには伸縮アーム４３は短縮し、可動ハウジング４を凹部４０内に収容する。
【００４３】
前記プロジェクタ１は実施形態１，２と同様に図３に示した画像投影ＥＣＵ１００に接続されている。また、この実施形態３では、前記傾動機構４２が画像投影ＥＣＵ１００に電気接続されており、画像投影ＥＣＵ１００がプロジェクタ１を制御して画像を投影する際に所要の駆動信号が傾動機構４２に入力されるようになっている。
【００４４】
実施形態３によれば、画像を投影しないときには画像投影ＥＣＵ１００からの駆動信号が傾動機構４２に入力されておらず、可動ハウジング４は凹部４０内に収容された状態にある。そのため、プロジェクタ１はトラックＣＡＲ２の外部に露呈されることはない。画像投影ＥＣＵ１００がプロジェクタ１による画像の投影を行う状態になったときに、画像投影ＥＣＵ１００からの駆動信号が傾動機構４２に入力され、可動ハウジング４は凹部４０から突出された位置に移動される。
【００４５】
また、これと同時に画像投影ＥＣＵ１００での所定の制御によりプロジェクタ１が駆動され、画像設定部１１３において設定された所定ないし所望の画像がトラックＣＡＲ２のサイドパネルＳＰに投影される。この投影する画像は実施形態１，２のような宣伝用画像、デコレーション用の画像であってもよい。あるいは、メッセージを投影してもよい。なお、大型トラックのサイドパネルの面積は普通乗用車に比較して大きいので、複数個、例えば２個あるいは３個の可動プロジェクタを配列し、これら複数個のプロジェクタの投影画像を合成して目的とする画像を投影するようにしてもよい。
【００４６】
ここで、可動ハウジング４を凹部４０に収容、突出させるための構成は実施形態に記載の傾動機構に限られるものではなく、可動ハウジングを車体の一部に設けた開口を通して車幅方向にスライドして車体の外側位置まで突出移動する構成であってもよい。あるいは、リンク機構により車幅方向に突出移動する構成であってもよい。また、このような可動プロジェクタの構成、すなわち投影時にのみプロジェクタを車体から外部に突出位置させる構成は実施形態１，２のプロジェクタにおいても同様に適用することは可能である。
【００４７】
本発明における画像投影手段として適用されるプロジェクタは実施形態に記載の構成に限られるものではない。すなわち、プロジェクタを車体に配設する際の装備位置は画像を投影する車体の面積や投影箇所の違いに応じて車体の適切な位置に配設すればよい。また、プロジェクタの構成は、例えば高速光走査によって車体の表面に画像を投影する構成のプロジェクタであってもよい。この場合には光源にＬＤ（レーザーダイオード）を用い、高速回転するポリゴンミラー等の走査ミラーで光を走査するように構成することが考えられる。
【００４８】
本発明において、投影する画像は実施形態のように予め用意した画像を選択するのではなく、前記したように投影を行う都度に画像を生成して設定するようにしてもよく、あるいは通信やインターネットを介して画像を取得するようにしてもよい。さらには、ＵＳＢメモリやＤＶＤ等の記憶媒体や、車内モニターに流しているＴＶ，ＤＶＤ等の映像を取り込んで投影するように構成してもよい。また、実施形態２のメッセージを投影する際には、運転者が発する音声を認識して文字画像を設定するようにしてもよい。
【００４９】
その一方で、本発明を単に広告、デコレーションのみを目的として画像を投影する場合には、画像投影ＥＣＵ１００は、図４に示した走行状態検出部１１２を備えない構成としてもよい。さらには、通信部１１１を省略してもよい。これらを省略することにより、低コストかつ簡易な構成で本発明が実現できる。
【００５０】
本発明が適用される車両は、実施形態に記載の自動車に限られるものではなく、種々の自動車ないし電車等の鉄道車両への適用も可能である。さらに、画像を投影する対象は車体パネルや窓ガラスに限られるものではなく、車輪（ホイールやタイヤ等を含む）に対して投影することも可能である。特に、車輪が回転することにより投影した画像の光を広い角度範囲に向けて反射することができ、この光の散乱状態の反射によってデコレーション効果を高めることも可能になる。
【産業上の利用可能性】
【００５１】
本発明は車輪や窓ガラスを含めた車体の表面に画像を投影するための画像投影手段を備えた車両の表示装置に採用することが可能である。
【符号の説明】
【００５２】
１  プロジェクタ（画像投影手段）
２  ミラーハウジング
３  ＨＭＳＬ（ハイマウントストップランプ）
４  可動ハウジング
１１  ケーシング
１２  光源（ＬＥＤ：発光ダイオード）
１３  画像形成素子（ＬＣＤ：液晶装置）
１４  投影レンズ
１００  画像投影ＥＣＵ（投影制御手段）
１０１  操作スイッチ
１０２  ナビゲーション装置
１０３  ＧＰＳセンサ
１０４  車速センサ
１１１  通信部
１１２  走行状態検出部
１１３  画像設定部
１１４  駆動部
ＣＡＲ，ＣＡＲ１  自動車
Ｌ−ＳＭ，Ｒ−ＳＭ  サイドミラー（車体一部）
ＳＰ  サイドパネル（車体）
ＳＧ  サイドガラス（車体）
ＲＧ  リアガラス（車体）
ＲＰ  リアパネル（車体）
【図１】
2015148678.tif 000003
【図２】
2015148678.tif 000004
【図３】
2015148678.tif 000005
【図４】
2015148678.tif 000006
【図５】
2015148678.tif 000007
【図６】
2015148678.tif 000008
【図７】
2015148678.tif 000009